(57)【要約】  本開示は、チャネル状態情報伝送方法、通信機器および装置を提供する。当該伝送方法において、第１部分ＣＳＩで用いられるターゲットコードレートに基づいて、ＰＵＳＣＨで第１部分ＣＳＩの伝送に利用可能なリソースを決定することと、ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することとを含む。【選択図】図１
2021508971.tif 000002
【特許請求の範囲】
【請求項１】
第１部分ＣＳＩ（Ｃｈａｎｎｅｌ  Ｓｔａｔｅ  Ｉｎｆｏｒｍａｔｉｏｎ）と第２部分ＣＳＩを含むＣＳＩの伝送方法において、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することとを含む、ＣＳＩの伝送方法。
【請求項２】
前記の第１部分ＣＳＩで用いられるターゲットコードレートに基づいて、ＰＵＳＣＨで第１部分ＣＳＩの伝送に利用可能なリソースを決定することの前に、
前記第１部分ＣＳＩで用いられるターゲットコードレートを取得することをさらに含む、請求項１に記載の伝送方法。
【請求項３】
前記の前記第１部分ＣＳＩで用いられるターゲットコードレートを取得することは、
基地局からハイレイヤシグナリングによって設定された前記第１部分ＣＳＩで用いられるターゲットコードレートを受信することを含み、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとを含む、請求項２に記載の伝送方法。
【請求項４】
前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む、請求項３に記載の伝送方法。
【請求項５】
前記第１部分ＣＳＩで利用可能なコードレートセットをプロトコルで予め定義し、端末による前記第１部分ＣＳＩの送信をトリガーすることのできるダウンリンク制御情報を受信する場合、
前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられる、請求項３に記載の伝送方法。
【請求項６】
前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられる、請求項５に記載の伝送方法。
【請求項７】
前記の第１部分ＣＳＩで用いられるターゲットコードレートに基づいて、ＰＵＳＣＨで第１部分ＣＳＩの伝送に利用可能なリソースを決定することは、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥ（Ｒｅｓｏｕｒｃｅ  Ｅｌｅｍｅｎｔ）の数を決定することを含む、請求項１に記載の伝送方法。
【請求項８】
前記の前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することは、
ＰＵＳＣＨで第１部分ＣＳＩの伝送に利用可能なＲＥの数を第１式で決定することを含む、請求項７に記載の伝送方法。
【数１２４】
2021508971.tif 000131
（第１式）
ここで、
【数１２５】
2021508971.tif 000132
：ＰＵＳＣＨで第１部分ＣＳＩの伝送に利用可能なＲＥの数；
【数１２６】
2021508971.tif 000133
：前記第１部分ＣＳＩの情報ビット数；
【数１２７】
2021508971.tif 000134
：前記第１部分ＣＳＩで用いられるターゲットコードレート；
【数１２８】
2021508971.tif 000135
：前記第１部分ＣＳＩの変調階数
【請求項９】
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することは、
ＰＵＳＣＨでアップリンク制御情報ＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することを含む、請求項７または８に記載の伝送方法。
【請求項１０】
前記のＰＵＳＣＨでＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することは、
ＰＵＳＣＨで第２部分ＣＳＩの伝送に利用可能なＲＥの数を第２式で決定することを含む、請求項９に記載の伝送方法。
【数１２９】
2021508971.tif 000136
（第２式）
ここで、
【数１３０】
2021508971.tif 000137
：ＰＵＳＣＨで第２部分ＣＳＩの伝送に利用可能なＲＥの数；
【数１３１】
2021508971.tif 000138
：ＰＵＳＣＨでＵＣＩの伝送に利用可能なＲＥの数；
【数１３２】
2021508971.tif 000139
：ＰＵＳＣＨで第１部分ＣＳＩの伝送に利用可能なＲＥの数；
【数１３３】
2021508971.tif 000140
：ＰＵＳＣＨでＨＡＲＱ−ＡＣＫの伝送に利用可能なＲＥの数
【請求項１１】
前記ＰＵＳＣＨでＵＣＩの伝送に利用可能なＲＥの数
【数１３４】
2021508971.tif 000141
の計算式は、
【数１３５】
2021508971.tif 000142
ここで、
【数１３６】
2021508971.tif 000143
：ＰＵＳＣＨでＵＣＩの伝送に利用可能なＲＥの数；
【数１３７】
2021508971.tif 000144
：ＯＦＤＭシンボル
【数１３８】
2021508971.tif 000145
でＵＣＩの伝送に利用可能なＲＥの数；
【数１３９】
2021508971.tif 000146
：前記ＰＵＳＣＨに含まれるＯＦＤＭシンボルの数；
【数１４０】
2021508971.tif 000147
：前記ＰＵＳＣＨでＤＲＭＳに占用されるＯＦＤＭシンボルの数
である請求項９に記載の伝送方法。
【請求項１２】
前記のＰＵＳＣＨで第１部分ＣＳＩの伝送に利用可能なＲＥの数を決定することの後に、
前記ＰＵＳＣＨで第１部分ＣＳＩの伝送に利用可能なＲＥの数が、ＰＵＳＣＨでＵＣＩの伝送に利用可能なＲＥの数より大きくなると、前記ＰＵＳＣＨでＵＣＩの伝送に利用可能なＲＥのすべてを第１部分ＣＳＩの伝送に利用可能なＲＥに決定し、前記ＰＵＳＣＨでは第２部分ＣＳＩの伝送に利用可能なＲＥがないと決定することをさらに含む、請求項７に記載の伝送方法。
【請求項１３】
前記の第１部分ＣＳＩで用いられるターゲットコードレートに基づいて、ＰＵＳＣＨで第１部分ＣＳＩの伝送に利用可能なリソースを決定することの前に、
基地局から送信されるダウンリンク制御情報ＤＣＩを受信することと、
前記ＤＣＩを解析し、ＰＵＳＣＨではデータ伝送が含まれず、ＣＳＩの伝送のみが含まれると決定することとをさらに含む、請求項１に記載の伝送方法。
【請求項１４】
前記のＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することの後に、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとをさらに含む、請求項１に記載の伝送方法。
【請求項１５】
前記の第２部分ＣＳＩのコードレート閾値を取得することは、
第２部分ＣＳＩのコードレート閾値を第３式で決定することを含む、請求項１４に記載の伝送方法。
【数１４１】
2021508971.tif 000148
（第３式）
ここで、
【数１４２】
2021508971.tif 000149
：第２部分ＣＳＩのコードレート閾値；
【数１４３】
2021508971.tif 000150
：第１部分ＣＳＩで用いられるターゲットコードレート；
【数１４４】
2021508971.tif 000151
：前記第１部分ＣＳＩのコードレートオフセット；
【数１４５】
2021508971.tif 000152
：前記第２部分ＣＳＩのコードレートオフセット
【請求項１６】
前記の前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することは、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとを含む、請求項１４に記載の伝送方法。
【請求項１７】
メモリと、プロセッサと、前記メモリに格納されて前記プロセッサで実行可能なコンピュータプログラムを含む通信機器において、
前記プロセッサは、前記プログラムを実行すると、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで第２部分ＣＳＩの伝送に利用可能なリソースに決定することとを実現する、通信機器。
【請求項１８】
前記第１部分ＣＳＩで用いられるターゲットコードレートを取得するためのトランシーバをさらに含む、請求項１７に記載の通信機器。
【請求項１９】
前記トランシーバは、さらに、
基地局からハイレイヤシグナリングによって設定された前記第１部分ＣＳＩで用いられるターゲットコードレートを受信することに用いられ、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとに用いられる、請求項１８に記載の通信機器。
【請求項２０】
前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む、請求項１９に記載の通信機器。
【請求項２１】
前記第１部分ＣＳＩで利用可能なコードレートセットをプロトコルで予め定義し、端末による前記第１部分ＣＳＩの送信をトリガーすることのできるダウンリンク制御情報を受信する場合、
前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられる、請求項１９に記載の通信機器。
【請求項２２】
前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられる、請求項２１に記載の通信機器。
【請求項２３】
前記プロセッサは、さらに、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することに用いられる、請求項１７に記載の通信機器。
【請求項２４】
前記プロセッサは、さらに、
ＰＵＳＣＨで第１部分ＣＳＩの伝送に利用可能なＲＥの数を第１式で決定することに用いられる、請求項２３に記載の通信機器。
【数１４６】
2021508971.tif 000153
（第１式）
ここで、
【数１４７】
2021508971.tif 000154
：ＰＵＳＣＨで第１部分ＣＳＩの伝送に利用可能なＲＥの数；
【数１４８】
2021508971.tif 000155
：前記第１部分ＣＳＩの情報ビット数；
【数１４９】
2021508971.tif 000156
：前記第１部分ＣＳＩで用いられるターゲットコードレート；
【数１５０】
2021508971.tif 000157
：前記第１部分ＣＳＩの変調階数
【請求項２５】
前記プロセッサは、さらに、
ＰＵＳＣＨでＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することに用いられる、請求項２３または２４に記載の通信機器。
【請求項２６】
前記プロセッサは、さらに、
ＰＵＳＣＨで第２部分ＣＳＩの伝送に利用可能なＲＥの数を第２式で決定することに用いられる、請求項２５に記載の通信機器。
【数１５１】
2021508971.tif 000158
（第２式）
ここで、
【数１５２】
2021508971.tif 000159
：ＰＵＳＣＨで第２部分ＣＳＩの伝送に利用可能なＲＥの数；
【数１５３】
2021508971.tif 000160
：ＰＵＳＣＨでＵＣＩの伝送に利用可能なＲＥの数；
【数１５４】
2021508971.tif 000161
：ＰＵＳＣＨで第１部分ＣＳＩの伝送に利用可能なＲＥの数；
【数１５５】
2021508971.tif 000162
：ＰＵＳＣＨでＨＡＲＱ−ＡＣＫの伝送に利用可能なＲＥの数
【請求項２７】
前記プロセッサは、さらに、
前記ＰＵＳＣＨでＵＣＩの伝送に利用可能なＲＥの数
【数１５６】
2021508971.tif 000163
の計算式で
【数１５７】
2021508971.tif 000164
を計算することに用いられ、
ここで、前記ＰＵＳＣＨでＵＣＩの伝送に利用可能なＲＥの数
【数１５８】
2021508971.tif 000165
の計算式は、
【数１５９】
2021508971.tif 000166
ここで、
【数１６０】
2021508971.tif 000167
：ＰＵＳＣＨでＵＣＩの伝送に利用可能なＲＥの数；
【数１６１】
2021508971.tif 000168
：ＯＦＤＭシンボル
【数１６２】
2021508971.tif 000169
でＵＣＩの伝送に利用可能なＲＥの数；
【数１６３】
2021508971.tif 000170
：前記ＰＵＳＣＨに含まれるＯＦＤＭシンボルの数；
【数１６４】
2021508971.tif 000171
：前記ＰＵＳＣＨでＤＲＭＳに占用されるＯＦＤＭシンボルの数
である請求項２６に記載の通信機器。
【請求項２８】
前記プロセッサは、さらに、
前記ＰＵＳＣＨで第１部分ＣＳＩの伝送に利用可能なＲＥの数が、ＰＵＳＣＨでＵＣＩの伝送に利用可能なＲＥの数より大きくなると、前記ＰＵＳＣＨでＵＣＩの伝送に利用可能なＲＥのすべてを第１部分ＣＳＩの伝送に利用可能なＲＥに決定し、前記ＰＵＳＣＨでは第２部分ＣＳＩの伝送に利用可能なＲＥがないと決定することに用いられる、請求項２３に記載の通信機器。
【請求項２９】
トランシーバは、さらに、
基地局から送信されるＤＣＩを受信することに用いられ、
前記プロセッサは、さらに、
前記ＤＣＩを解析し、ＰＵＳＣＨではデータ伝送が含まれず、ＣＳＩの伝送のみが含まれると決定することに用いられる、請求項１７に記載の通信機器。
【請求項３０】
前記プロセッサは、さらに、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとに用いられる、請求項１７に記載の通信機器。
【請求項３１】
前記プロセッサは、さらに、
第２部分ＣＳＩのコードレート閾値を第３式で決定することに用いられる、請求項３０に記載の通信機器。
【数１６５】
2021508971.tif 000172
（第３式）
ここで、
【数１６６】
2021508971.tif 000173
：第２部分ＣＳＩのコードレート閾値；
【数１６７】
2021508971.tif 000174
：第１部分ＣＳＩで用いられるターゲットコードレート；
【数１６８】
2021508971.tif 000175
：前記第１部分ＣＳＩのコードレートオフセット；
【数１６９】
2021508971.tif 000176
：前記第２部分ＣＳＩのコードレートオフセット
【請求項３２】
前記プロセッサは、さらに、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとに用いられる、請求項３０に記載の通信機器。
【請求項３３】
第１部分ＣＳＩと第２部分ＣＳＩを含むＣＳＩの伝送リソースの決定装置において、
第１部分ＣＳＩで用いられるターゲットコードレートに基づいて、ＰＵＳＣＨで第１部分ＣＳＩの伝送に利用可能なリソースを決定するための第１決定モジュールと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定するための第２決定モジュールとを含む、ＣＳＩの伝送リソースの決定装置。
【請求項３４】
コンピュータプログラムが格納されているコンピュータ読み取り可能な記憶媒体であって、
前記コンピュータプログラムがプロセッサによって実行されると、請求項１〜１６のいずれか一項に記載のＣＳＩの伝送方法のことが実現される、コンピュータ読み取り可能な記憶媒体。
【発明の詳細な説明】
【技術分野】
【０００１】
本願は、２０１７年１２月２９日に中国特許庁に提出された中国特許出願２０１７１１４７３５０５.Ｘの優先権、２０１８年１月１２日に中国特許庁に提出された中国特許出願２０１８１００３２０２１.Ｘの優先権、および、２０１８年３月３０日に中国特許庁に提出された中国特許出願２０１８１０２９２３２９.８の優先権を主張し、それらの全ての内容が援用によりここに取り込まれる。
本開示は、通信技術分野に係り、特にチャネル状態情報伝送方法、通信機器及び装置に係る。
【背景技術】
【０００２】
ＬＴＥの無線通信システムにおいて、非周期的チャネル状態情報ＣＳＩ（Ｃｈａｎｎｅｌ  Ｓｔａｔｅ  Ｉｎｆｏｒｍａｔｉｏｎ）は、ＰＵＳＣＨで伝送され、基地局ｅＮｏｄｅＢは、アップリンクデータをスケジューリングするダウンリンク制御情報ＤＣＩによって、端末ＵＥによる非周期的ＣＳＩの報知をトリガーする。アップリンクデータをスケジューリングするダウンリンク制御情報ＤＣＩのうち、一つの情報フィールドは、非周期的ＣＳＩの報知をトリガーすることに用いられる。非周期的ＣＳＩの報知が必要であることを当該情報フィールドによって端末に指示する場合、端末は、予め定義された位置でＰＵＳＣＨによって非周期的ＣＳＩの報知を行う。
【０００３】
ＬＴＥシステムでは、ＣＳＩのうちのＲＩ（ｒａｎｋ  ｉｎｄｉｃａｔｉｏｎ）とＣＱＩ（Ｃｈａｎｎｅｌ  Ｑｕａｌｉｔｙ  Ｉｎｄｉｃａｔｏｒ）／ＰＭＩ（Ｐｒｅｃｏｄｉｎｇ  Ｍａｔｒｉｘ  Ｉｎｄｉｃａｔｏｒ）は、独立に符号化する。ＰＵＳＣＨではデータの伝送が含まれず制御情報の伝送のみが含まれる場合、ＲＩは、ＤＭＲＳ（Ｄｅｍｏｄｕｌａｔｉｏｎ  Ｒｅｆｅｒｅｎｃｅ  Ｓｉｇｎａｌ）を除いたデータシンボル＃１、＃４、＃７、＃１０（一般的なＣＰである場合）またはシンボル＃０、＃３、＃５、＃８（拡張ＣＰである場合）にマッピングし、具体的に占用するＲＥ（Ｒｅｓｏｕｒｃｅ  Ｅｌｅｍｅｎｔ）の数は、以下の式で決定される。ＲＩに占用されるリソースのほか、ＰＵＳＣＨでの残りのリソースは、すべてＣＱＩ／ＰＭＩ情報の伝送に用いられる。
【数１】
2021508971.tif 000003
ここで、Ｏ：ＲＩビット数；
【数２】
2021508971.tif 000004
：ＣＲＣ（Ｃｙｃｌｉｃ  Ｒｅｄｕｎｄａｎｃｙ  Ｃｈｅｃｋ）を含むＣＱＩビット数；
【数３】
2021508971.tif 000005
の決定において、非周期的報知がトリガーされるすべてのサービングセルのＲＩを１とする；
【数４】
2021508971.tif 000006
：サブキャリアで示される現在サブフレームでＰＵＳＣＨのスケジューリング帯域幅；
【数５】
2021508971.tif 000007
：現在サブフレームでＰＵＳＣＨのスケジューリングシンボル数；
【数６】
2021508971.tif 000008
：ＣＱＩに対するＲＩのコードレートオフセット。
【０００４】
移動通信のトラフィックニーズの発展および変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰなどの機構では、新規の無線通信システム（たとえば５Ｇ  ＮＲ（５  Ｇｅｎｅｒａｔｉｏｎ  Ｎｅｗ  ＲＡＴ））の研究を始めている。現在、５Ｇ  ＮＲにおいて、ＰＵＳＣＨで伝送される非周期的ＣＳＩは、ＲＩと第１部分のＣＱＩ／ＰＭＩ情報を含む第１部分ＣＳＩと、残りのＣＱＩ／ＰＭＩ情報を含む第２部分ＣＳＩの２つの部分を含む。第１部分ＣＳＩと第２部分ＣＳＩは、独立に符号化及びマッピングを行う。
【０００５】
ＮＲにおける２つの部分のＣＳＩに含まれる内容としては、ＬＴＥとは同じではなく、しかも、ＤＭＲＳの設計もＬＴＥとは異なり、ＤＭＲＳに占用されるシンボルの数および位置が一定ではないため、ＬＴＥでのＣＳＩリソースマッピングメカニズムを再利用することができない。よって、現在、ＮＲにおいて、ＰＵＳＣＨで伝送されるＣＳＩに対し、ＰＵＳＣＨにＵＬ−ＳＣＨデータ伝送が含まれない場合、ＰＵＳＣＨで各部分のＣＳＩの伝送に利用されるリソースをどのように決定することは、まだ具体的な方法がない。
【発明の概要】
【発明が解決しようとする課題】
【０００６】
本発明の目的は、チャネル状態情報伝送方法、通信機器および機器を提供し、ＰＵＳＣＨで各部分のＣＳＩの伝送に利用されるリソースを決定できないという従来技術の問題を解決しようとする。
【課題を解決するための手段】
【０００７】
上記目的を達成するために、本開示の実施例は、ＣＳＩの伝送方法を提供する。
第１部分ＣＳＩ（Ｃｈａｎｎｅｌ  Ｓｔａｔｅ  Ｉｎｆｏｒｍａｔｉｏｎ）と第２部分ＣＳＩを含むＣＳＩの伝送方法において、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することとを含む。
【０００８】
ここで、前記伝送方法において、
前記の第１部分ＣＳＩで用いられるターゲットコードレートに基づいて、ＰＵＳＣＨで第１部分ＣＳＩの伝送に利用可能なリソースを決定することの前に、
前記第１部分ＣＳＩで用いられるターゲットコードレートを取得することをさらに含む。
【０００９】
ここで、前記の前記第１部分ＣＳＩで用いられるターゲットコードレートを取得することは、
基地局からハイレイヤシグナリングによって設定された前記第１部分ＣＳＩで用いられるターゲットコードレートを受信することを含み、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとを含む。
【００１０】
ここで、前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む。
【００１１】
ここで、前記第１部分ＣＳＩで利用可能なコードレートセットをプロトコルで予め定義し、端末による前記第１部分ＣＳＩの送信をトリガーすることのできるダウンリンク制御情報を受信する場合、
前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられる。
【００１２】
ここで、前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられることが好ましい。
【００１３】
ここで、前記の第１部分ＣＳＩで用いられるターゲットコードレートに基づいて、ＰＵＳＣＨで第１部分ＣＳＩの伝送に利用可能なリソースを決定することは、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することを含む。
【００１４】
ここで、前記の前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することは、
ＰＵＳＣＨで第１部分ＣＳＩの伝送に利用可能なＲＥの数を第１式で決定することを含む。
【数７】
2021508971.tif 000009
（第１式）
ここで、
【数８】
2021508971.tif 000010
：ＰＵＳＣＨで第１部分ＣＳＩの伝送に利用可能なＲＥの数；
【数９】
2021508971.tif 000011
：前記第１部分ＣＳＩの情報ビット数；
【数１０】
2021508971.tif 000012
：前記第１部分ＣＳＩで用いられるターゲットコードレート；
【数１１】
2021508971.tif 000013
：前記第１部分ＣＳＩの変調階数
【００１５】
ここで、ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することは、
ＰＵＳＣＨでアップリンク制御情報ＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することを含む。
【００１６】
ここで、前記のＰＵＳＣＨでＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することは、
ＰＵＳＣＨで第２部分ＣＳＩの伝送に利用可能なＲＥの数を第２式で決定することを含む。
【数１２】
2021508971.tif 000014
（第２式）
ここで、
【数１３】
2021508971.tif 000015
：ＰＵＳＣＨで第２部分ＣＳＩの伝送に利用可能なＲＥの数；
【数１４】
2021508971.tif 000016
：ＰＵＳＣＨでＵＣＩの伝送に利用可能なＲＥの数；
【数１５】
2021508971.tif 000017
：ＰＵＳＣＨで第１部分ＣＳＩの伝送に利用可能なＲＥの数；
【数１６】
2021508971.tif 000018
：ＰＵＳＣＨでＨＡＲＱ−ＡＣＫの伝送に利用可能なＲＥの数
【００１７】
ここで、前記ＰＵＳＣＨでＵＣＩの伝送に利用可能なＲＥの数
【数１７】
2021508971.tif 000019
の計算式は、
【数１８】
2021508971.tif 000020
ここで、
【数１９】
2021508971.tif 000021
：ＰＵＳＣＨでＵＣＩの伝送に利用可能なＲＥの数；
【数２０】
2021508971.tif 000022
：ＯＦＤＭシンボル
【数２１】
2021508971.tif 000023
でＵＣＩの伝送に利用可能なＲＥの数；
【数２２】
2021508971.tif 000024
：前記ＰＵＳＣＨに含まれるＯＦＤＭシンボルの数；
【数２３】
2021508971.tif 000025
：前記ＰＵＳＣＨでＤＲＭＳに占用されるＯＦＤＭシンボルの数
である。
【００１８】
ここで、前記方法において、
前記のＰＵＳＣＨで第１部分ＣＳＩの伝送に利用可能なＲＥの数を決定することの後に、
前記ＰＵＳＣＨで第１部分ＣＳＩの伝送に利用可能なＲＥの数が、ＰＵＳＣＨでＵＣＩの伝送に利用可能なＲＥの数より大きくなると、前記ＰＵＳＣＨでＵＣＩの伝送に利用可能なＲＥのすべてを第１部分ＣＳＩの伝送に利用可能なＲＥに決定し、前記ＰＵＳＣＨでは第２部分ＣＳＩの伝送に利用可能なＲＥがないと決定することをさらに含む。
【００１９】
ここで、前記方法において、
前記の第１部分ＣＳＩで用いられるターゲットコードレートに基づいて、ＰＵＳＣＨで第１部分ＣＳＩの伝送に利用可能なリソースを決定することの前に、
基地局から送信されるダウンリンク制御情報ＤＣＩを受信することと、
前記ＤＣＩを解析し、ＰＵＳＣＨではデータ伝送が含まれず、ＣＳＩの伝送のみが含まれると決定することとをさらに含む。
【００２０】
ここで、前記方法において、
前記のＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することの後に、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとをさらに含む。
【００２１】
ここで、前記の第２部分ＣＳＩのコードレート閾値を取得することは、
第２部分ＣＳＩのコードレート閾値を第３式で決定することを含む。
【数２４】
2021508971.tif 000026
（第３式）
ここで、
【数２５】
2021508971.tif 000027
：第２部分ＣＳＩのコードレート閾値；
【数２６】
2021508971.tif 000028
：第１部分ＣＳＩで用いられるターゲットコードレート；
【数２７】
2021508971.tif 000029
：前記第１部分ＣＳＩのコードレートオフセット；
【数２８】
2021508971.tif 000030
：前記第２部分ＣＳＩのコードレートオフセット
【００２２】
ここで、前記の前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することは、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとを含む。
【００２３】
本開示の実施例は、メモリと、プロセッサと、前記メモリに格納されて前記プロセッサで実行可能なコンピュータプログラムを含む通信機器をさらに提供する。
前記プロセッサは、前記プログラムを実行すると、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで第２部分ＣＳＩの伝送に利用可能なリソースに決定することとを実現する。
【００２４】
ここで、前記通信機器は、
前記第１部分ＣＳＩで用いられるターゲットコードレートを取得するためのトランシーバをさらに含む。
【００２５】
ここで、前記トランシーバは、さらに、
基地局からハイレイヤシグナリングによって設定された前記第１部分ＣＳＩで用いられるターゲットコードレートを受信することに用いられ、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとに用いられる。
【００２６】
ここで、前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む。
【００２７】
ここで、前記第１部分ＣＳＩで利用可能なコードレートセットをプロトコルで予め定義し、端末による前記第１部分ＣＳＩの送信をトリガーすることのできるダウンリンク制御情報を受信する場合、
前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられる。
【００２８】
前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられることが好ましい。
【００２９】
ここで、前記プロセッサは、さらに、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することに用いられる。
【００３０】
ここで、前記プロセッサは、さらに、
ＰＵＳＣＨで第１部分ＣＳＩの伝送に利用可能なＲＥの数を第１式で決定することに用いられる。
【数２９】
2021508971.tif 000031
（第１式）
ここで、
【数３０】
2021508971.tif 000032
：ＰＵＳＣＨで第１部分ＣＳＩの伝送に利用可能なＲＥの数；
【数３１】
2021508971.tif 000033
：前記第１部分ＣＳＩの情報ビット数；
【数３２】
2021508971.tif 000034
：前記第１部分ＣＳＩで用いられるターゲットコードレート；
【数３３】
2021508971.tif 000035
：前記第１部分ＣＳＩの変調階数
【００３１】
ここで、前記プロセッサは、さらに、
ＰＵＳＣＨでＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することに用いられる。
【００３２】
ここで、前記プロセッサは、さらに、
ＰＵＳＣＨで第２部分ＣＳＩの伝送に利用可能なＲＥの数を第２式で決定することに用いられる。
【数３４】
2021508971.tif 000036
（第２式）
ここで、
【数３５】
2021508971.tif 000037
：ＰＵＳＣＨで第２部分ＣＳＩの伝送に利用可能なＲＥの数；
【数３６】
2021508971.tif 000038
：ＰＵＳＣＨでＵＣＩの伝送に利用可能なＲＥの数；
【数３７】
2021508971.tif 000039
：ＰＵＳＣＨで第１部分ＣＳＩの伝送に利用可能なＲＥの数；
【数３８】
2021508971.tif 000040
：ＰＵＳＣＨでＨＡＲＱ−ＡＣＫの伝送に利用可能なＲＥの数
【００３３】
ここで、前記プロセッサは、さらに、
前記ＰＵＳＣＨでＵＣＩの伝送に利用可能なＲＥの数
【数３９】
2021508971.tif 000041
の計算式で
【数４０】
2021508971.tif 000042
を計算することに用いられ、
ここで、前記ＰＵＳＣＨでＵＣＩの伝送に利用可能なＲＥの数
【数４１】
2021508971.tif 000043
の計算式は、
【数４２】
2021508971.tif 000044
ここで、
【数４３】
2021508971.tif 000045
：ＰＵＳＣＨでＵＣＩの伝送に利用可能なＲＥの数；
【数４４】
2021508971.tif 000046
：ＯＦＤＭシンボル
【数４５】
2021508971.tif 000047
でＵＣＩの伝送に利用可能なＲＥの数；
【数４６】
2021508971.tif 000048
：前記ＰＵＳＣＨに含まれるＯＦＤＭシンボルの数；
【数４７】
2021508971.tif 000049
：前記ＰＵＳＣＨでＤＲＭＳに占用されるＯＦＤＭシンボルの数
である。
【００３４】
ここで、前記プロセッサは、さらに、
前記ＰＵＳＣＨで第１部分ＣＳＩの伝送に利用可能なＲＥの数が、ＰＵＳＣＨでＵＣＩの伝送に利用可能なＲＥの数より大きくなると、前記ＰＵＳＣＨでＵＣＩの伝送に利用可能なＲＥのすべてを第１部分ＣＳＩの伝送に利用可能なＲＥに決定し、前記ＰＵＳＣＨでは第２部分ＣＳＩの伝送に利用可能なＲＥがないと決定することに用いられる。
【００３５】
ここで、前記トランシーバは、さらに、
基地局から送信されるＤＣＩを受信することに用いられ、
前記プロセッサは、さらに、
前記ＤＣＩを解析し、ＰＵＳＣＨではデータ伝送が含まれず、ＣＳＩの伝送のみが含まれると決定することに用いられる。
【００３６】
ここで、前記プロセッサは、さらに、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとに用いられる。
【００３７】
ここで、前記プロセッサは、さらに、
第２部分ＣＳＩのコードレート閾値を第３式で決定することに用いられる。
【数４８】
2021508971.tif 000050
（第３式）
ここで、
【数４９】
2021508971.tif 000051
：第２部分ＣＳＩのコードレート閾値；
【数５０】
2021508971.tif 000052
：第１部分ＣＳＩで用いられるターゲットコードレート；
【数５１】
2021508971.tif 000053
：前記第１部分ＣＳＩのコードレートオフセット；
【数５２】
2021508971.tif 000054
：前記第２部分ＣＳＩのコードレートオフセット
【００３８】
ここで、前記プロセッサは、さらに、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとに用いられる。
【００３９】
本開示の実施例は、第１部分ＣＳＩと第２部分ＣＳＩを含むＣＳＩの伝送リソースの決定装置をさらに提供する。
当該装置は、
第１部分ＣＳＩで用いられるターゲットコードレートに基づいて、ＰＵＳＣＨで第１部分ＣＳＩの伝送に利用可能なリソースを決定するための第１決定モジュールと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定するための第２決定モジュールとを含む。
【００４０】
本開示の実施例は、コンピュータプログラムが格納されているコンピュータ読み取り可能な記憶媒体をさらに提供する。
前記コンピュータプログラムがプロセッサによって実行されると、上記のＣＳＩの伝送方法のことが実現される。
【発明の効果】
【００４１】
本発明の実施例のチャネル状態情報伝送方法、通信機器および装置において、ＰＵＳＣＨでは２つの部分のＣＳＩを伝送しかつデータの伝送がない場合、第１部分ＣＳＩのターゲットコードレートに基づいて、ＰＵＳＣＨで第１部分ＣＳＩの伝送に利用可能なリソースを決定し、ＰＵＳＣＨで残りの利用可能なリソースを、第２部分ＣＳＩの伝送に利用可能なリソースに決定することによって、５Ｇ  ＮＲシステムのＰＵＳＣＨでＣＳＩ情報が正しく伝送できるようにし、ＮＲシステムの性能を保証する。
【図面の簡単な説明】
【００４２】
【図１】図１は、本開示の実施例におけるＣＳＩの伝送方法のフローチャートである。
【図２】図２は、本開示の実施例におけるＣＳＩの伝送方法で、ＰＵＳＣＨで第１部分ＣＳＩと第２部分ＣＳＩのマッピングリソース図である。
【図３】図３は、本開示の実施例における通信機器の構造図である。
【図４】図４は、本開示の実施例におけるＣＳＩの伝送リソースの決定装置の構造図である。
【発明を実施するための形態】
【００４３】
本開示の解決しようとする技術課題、技術手段および利点をより明確にするために、以下、図面および具体的な実施例を通じて詳細に記載する。
【００４４】
図１に示すように、本開示の実施例は、第１部分ＣＳＩと第２部分ＣＳＩを含むＣＳＩの伝送方法を提供する。
前記伝送方法において、
第１部分ＣＳＩで用いられるターゲットコードレートに基づいて、ＰＵＳＣＨで第１部分ＣＳＩの伝送に利用可能なリソースを決定するステップ１１と、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定するステップ１２とを含む。
【００４５】
本開示の上記実施例において、チャネル状態情報ＣＳＩは、非周期的ＣＳＩであり、ＰＵＳＣＨで伝送する非周期的ＣＳＩは、第１部分ＣＳＩと第２部分ＣＳＩとの２つの部分を含む。ここで、第１部分ＣＳＩは、ＲＩと一部のＣＱＩ／ＰＭＩを含み、第２部分ＣＳＩは、残りのＣＱＩ／ＰＭＩ情報を含む。
【００４６】
本開示の上記実施例において、ステップ１１の前に、当該伝送方法は、
基地局から送信されるＤＣＩを受信することと、
前記ＤＣＩを解析し、ＰＵＳＣＨではデータ伝送が含まれず、ＣＳＩの伝送のみが含まれると決定することとをさらに含むことが好ましい。
【００４７】
すなわち、本開示の実施例におけるＣＳＩの伝送リソースの伝送方法は、ＰＵＳＣＨではデータ伝送が含まれず、ＣＳＩの伝送のみが含まれる応用シーンに適用する。なお、当該ダウンリンク制御情報ＤＣＩには一つの情報フィールドが存在する。当該情報フィールドの内容は、ＣＳＩの報知をトリガーすることに用いられる。当該情報フィールドによって、ＣＳＩの報知が必要であることを端末に指示する場合、端末は、予め定義された位置でＰＵＳＣＨによってＣＳＩの報知を行う。
【００４８】
さらに、本開示の上記実施例において、ステップ１１の前に、前記伝送方法は、
前記第１部分ＣＳＩで用いられるターゲットコードレートを取得するステップ１０をさらに含む。
上記第１部分ＣＳＩで用いられるターゲットコードレートは、プロトコルで予め定義された値であってもよく、ハイレイヤシグナリングによって設定された値であってもよく、さらに、ＰＵＳＣＨで伝送するＤＣＩでの特定情報フィールドをトリガーすることによって指示される値であってもよい。
【００４９】
前記第１部分ＣＳＩで用いられるターゲットコードレートを取得する方式は、少なくとも以下４種類の方式を含み、通信機器は、以下４種類の方式のうちのいずれか一つの方式で、第１部分ＣＳＩで用いられるターゲットコードレートを決定することが好ましい。具体的に、第１部分ＣＳＩで用いられるターゲットコードレートを決定する方式は、以下を含む。
【００５０】
方式１：基地局からハイレイヤシグナリングによって設定された前記第１部分ＣＳＩで用いられるターゲットコードレートを受信する。
【００５１】
当該方式では、基地局は、直接、第１部分ＣＳＩで用いられるターゲットコードレートを設定する。
【００５２】
方式２：基地局から予め設定された前記第１部分ＣＳＩで利用可能な、２以上のコードレートを含むコードレートセットを受信し、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定する。
【００５３】
当該方式では、基地局は、２以上のコードレートを含むコードレートセットを予め設定する。第１部分ＣＳＩは、当該コードレートセットのうちの任意の一つのコードレートを、第１部分ＣＳＩで用いられるターゲットコードレートとして利用する。具体的に第１部分ＣＳＩがどのコードレートをターゲットコードレートとして利用するかは、ダウンリンク制御情報ＤＣＩの特定指示フィールドによって指示される。当該ダウンリンク制御情報ＤＣＩは、端末による第１部分ＣＳＩの送信をトリガーすることのできるＤＣＩである。
【００５４】
方式３：前記第１部分ＣＳＩで利用可能な、２以上のコードレートを含むコードレートセットをプロトコルで予め定義し、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定する。
【００５５】
当該方式では、プロトコルや基準では、２以上のコードレートを含むコードレートセットを予め定義する。第１部分ＣＳＩは、当該コードレートセットのうちの任意の一つのコードレートを、第１部分ＣＳＩで用いられるターゲットコードレートとして利用する。具体的に第１部分ＣＳＩがどのコードレートをターゲットコードレートとして利用するかは、ダウンリンク制御情報ＤＣＩの特定指示フィールドによって指示される。当該ダウンリンク制御情報ＤＣＩは、端末による第１部分ＣＳＩの送信をトリガーすることのできるＤＣＩである。
【００５６】
なお、方式３の場合、前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられる。上記のプロトコルの所定テーブルは、３ＧＰＰプロトコル３８.２１３のテーブル６.１.４.１−１である。すなわち、ＨＡＲＱプロセス番号指示情報フィールドによって、３ＧＰＰプロトコル３８.２１３のテーブル６.１.４.１−１のうち前記第１部分ＣＳＩの変調階数に関連するコードレートを指示する。
【００５７】
前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられることが好ましい。
【００５８】
ここで、ビット系列の上位Ｎビットとは、上位から下位への方向で、上位の１つ目のビットから連続するＮ個のビットを指す。前記ＨＡＲＱプロセス番号指示情報フィールドの上位３ビット情報とは、前記ＨＡＲＱプロセス番号指示情報フィールドのうち、上位から下位への方向で、上位の１つ目のビットから連続する３ビットの情報を指す。
【００５９】
前記ＨＡＲＱプロセス番号指示情報フィールドの下位３ビット情報とは、前記ＨＡＲＱプロセス番号指示情報フィールドのうち、下位から上位への方向で、下位の１つ目のビットから連続する３ビットの情報を指す。
【００６０】
なお、前記ＨＡＲＱプロセス番号指示情報フィールドは、一般的に計４ビットのリソースを占用する。
【００６１】
方式４：前記第１部分ＣＳＩで利用可能な、２以上のコードレートを含むコードレートセットをプロトコルで予め定義し、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定する。
【００６２】
当該方式では、プロトコルや基準では、２以上のコードレートを含むコードレートセットを予め定義する。第１部分ＣＳＩは、当該コードレートセットのうちの任意の一つのコードレートを、第１部分ＣＳＩで用いられるターゲットコードレートとして利用する。具体的に第１部分ＣＳＩがどのコードレートをターゲットコードレートとして利用するかは、基地局から直接ハイレイヤシグナリングによって指示される。
【００６３】
なお、前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む。
【００６４】
なお、上記のダウンリンク制御情報ＤＣＩまたは基地局のハイレイヤシグナリングによって、第１部分ＣＳＩが具体的にコードレートセットのうちのどのコードレートを第１部分ＣＳＩのターゲットコードレートとして利用するかを指示する場合、ダウンリンク制御情報ＤＣＩの特定指示フィールドの指示情報またはハイレイヤシグナリングの指示情報は、直接コードレートセットのうちのあるコードレートを指示するか、コードレートセットのうちのあるコードレートの番号を指示することによって間接的に当該コードレートを指示する。たとえば、コードレートセットが｛０.０８，０.１５，０.２５，０.３５，０.４５，０.６０，０.８０｝である場合、指示情報は、直接、第１部分ＣＳＩのターゲットコードレートが０.１５であると指示するか、第１部分ＣＳＩののターゲットコードレートが当該コードレートセットのうちの２つ目の値であることを指示することによって、間接的にターゲットコードレートが０.１５であると指示する。
【００６５】
本開示の上記実施例において、ステップ１１は、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なリソースエレメントＲＥの数を決定するステップを含むことが好ましい。
【００６６】
前記の前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なリソースエレメントＲＥの数を決定するステップは、
ＰＵＳＣＨで第１部分ＣＳＩの伝送に利用可能なリソースエレメントＲＥの数を第１式で決定することを含むことが好ましい。
【数５３】
2021508971.tif 000055
（第１式）
ここで、
【数５４】
2021508971.tif 000056
：ＰＵＳＣＨで第１部分ＣＳＩの伝送に利用可能なリソースエレメントＲＥの数；
【数５５】
2021508971.tif 000057
：前記第１部分ＣＳＩの情報ビット数；
【数５６】
2021508971.tif 000058
：前記第１部分ＣＳＩで用いられるターゲットコードレート；
【数５７】
2021508971.tif 000059
：前記第１部分ＣＳＩの変調階数。
【００６７】
なお、前記ＰＵＳＣＨで第１部分ＣＳＩの伝送に利用可能なリソースエレメントＲＥの数が、ＰＵＳＣＨでＵＣＩの伝送に利用可能なリソースエレメントＲＥの数より大きくなると、前記ＰＵＳＣＨでＵＣＩの伝送に利用可能なリソースエレメントＲＥのすべてを第１部分ＣＳＩの伝送に利用可能なリソースエレメントＲＥに決定し、前記ＰＵＳＣＨでは第２部分ＣＳＩの伝送に利用可能なリソースエレメントＲＥがないと決定する。
【００６８】
すなわち、ＰＵＳＣＨでＵＣＩの伝送に利用可能なＲＥの数を、第１部分ＣＳＩの伝送に利用可能なリソースエレメントの数の上限にセットし、算出した第１部分ＣＳＩの伝送に利用可能なＲＥの数がＰＵＳＣＨでＵＣＩの伝送に利用可能なＲＥの数より大きくなると、今回の伝送で第１部分ＣＳＩの伝送に利用可能なＲＥの数を、ＰＵＳＣＨでＵＣＩの伝送に利用可能なＲＥの数に等しくなるようにする。
【００６９】
さらに、本開示の上記実施例において、ステップ１２は、
ＰＵＳＣＨでＵＣＩの伝送に利用可能なリソースエレメントＲＥの数およびＰＵＳＣＨで第１部分ＣＳＩの伝送に利用可能なリソースエレメントＲＥの数に基づいて、ＰＵＳＣＨで第２部分ＣＳＩの伝送に利用可能なリソースエレメントＲＥの数を決定するステップを含む。
【００７０】
前記のＰＵＳＣＨでＵＣＩの伝送に利用可能なリソースエレメントＲＥの数およびＰＵＳＣＨで第１部分ＣＳＩの伝送に利用可能なリソースエレメントＲＥの数に基づいて、ＰＵＳＣＨで第２部分ＣＳＩの伝送に利用可能なリソースエレメントＲＥの数を決定するステップは、
ＰＵＳＣＨで第２部分ＣＳＩの伝送に利用可能なリソースエレメントＲＥの数を第２式で決定することを含むことが好ましい。
【数５８】
2021508971.tif 000060
（第２式）
ここで、
【数５９】
2021508971.tif 000061
：ＰＵＳＣＨで第２部分ＣＳＩの伝送に利用可能なリソースエレメントＲＥの数；
【数６０】
2021508971.tif 000062
：ＰＵＳＣＨでＵＣＩの伝送に利用可能なリソースエレメントＲＥの数；
【数６１】
2021508971.tif 000063
：ＰＵＳＣＨで第１部分ＣＳＩの伝送に利用可能なリソースエレメントＲＥの数；
【数６２】
2021508971.tif 000064
：ＰＵＳＣＨでＨＡＲＱ−ＡＣＫの伝送に利用可能なリソースエレメントＲＥの数。
【００７１】
簡単に言うと、ＰＵＳＣＨでＵＣＩの伝送に利用可能なＲＥの数から、ＰＵＳＣＨで第１部分ＣＳＩの伝送に利用可能なＲＥの数とＨＡＲＱ−ＡＣＫの伝送に利用可能なＲＥの数を引くと、当該ＰＵＳＣＨで第２部分ＣＳＩの伝送に利用可能なＲＥの数である。
【００７２】
さらに、ここで、前記ＰＵＳＣＨでＵＣＩの伝送に利用可能なリソースエレメントＲＥの数
【数６３】
2021508971.tif 000065
の計算式は、
【数６４】
2021508971.tif 000066
ここで、
【数６５】
2021508971.tif 000067
：ＰＵＳＣＨでＵＣＩの伝送に利用可能なリソースエレメントＲＥの数；
【数６６】
2021508971.tif 000068
：ＯＦＤＭシンボル
【数６７】
2021508971.tif 000069
でＵＣＩの伝送に利用可能なリソースエレメントＲＥの数；
【数６８】
2021508971.tif 000070
：前記ＰＵＳＣＨに含まれるＯＦＤＭシンボルの数；
【数６９】
2021508971.tif 000071
：前記ＰＵＳＣＨでＤＲＭＳに占用されるＯＦＤＭシンボルの数；
である。
【００７３】
さらに、本開示の上記実施例において、ステップ１２の後に、前記方法は、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとをさらに含むことが好ましい。
【００７４】
前記の第２部分ＣＳＩのコードレート閾値を取得するステップは、第２部分ＣＳＩのコードレート閾値を第３式で決定することを含むことが好ましい。
【数７０】
2021508971.tif 000072
（第３式）
ここで、
【数７１】
2021508971.tif 000073
：第２部分ＣＳＩのコードレート閾値；
【数７２】
2021508971.tif 000074
：第１部分ＣＳＩで用いられるターゲットコードレート；
【数７３】
2021508971.tif 000075
：前記第１部分ＣＳＩのコードレートオフセット；
【数７４】
2021508971.tif 000076
：前記第２部分ＣＳＩのコードレートオフセット。
【００７５】
前記の前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定するステップは、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとを含むことが好ましい。
【００７６】
ここで、第２部分ＣＳＩに対応する実コードレートとは、具体的に第２部分ＣＳＩに含まれる総ビット数に対応する実コードレートを指す。たとえば、前記第２部分ＣＳＩにはＱＰＳＫ変調が用いられ、前記第２部分に計６０ビットを含むと、対応する実コードレートは、６０／（５０＊２）＝０.６である。
【００７７】
以上をまとめると、本開示の上記実施例において、第２部分ＣＳＩの伝送に利用されるリソースは、第２部分ＣＳＩに占用される実リソースより小さい可能性がある。この場合、第２部分ＣＳＩは、すべて第２部分ＣＳＩの伝送に利用されるリソースで伝送することができない。この場合、前記第２部分ＣＳＩの伝送に利用可能なリソースで伝送可能な第２部分ＣＳＩのビット数を決定する必要があり、第２部分ＣＳＩの伝送に利用可能なリソースで第２部分ＣＳＩの一部のビットを正しく伝送することを保証する。
【００７８】
たとえば、ＰＵＳＣＨで第２部分ＣＳＩの伝送に利用可能なリソースには計５０個のＲＥを含み、前記第２部分ＣＳＩにはＱＰＳＫ（Ｑｕａｄｒａｔｕｒｅ  Ｐｈａｓｅ  Ｓｈｉｆｔ  Ｋｅｙｉｎｇ）変調が用いられ、前記第２部分ＣＳＩのコードレート閾値は、０.４である。
【００７９】
前記第２部分ＣＳＩには計６０ビットを含むと、対応する実コードレートは、６０／（５０＊２）＝０.６であり、前記第２部分ＣＳＩのコードレート閾値の０.４より大きい。第２部分ＣＳＩの廃棄ルールに従って３０ビットを廃棄し、３０ビットの前記第２部分ＣＳＩが残る。残りの前記第２部分ＣＳＩに対応する実コードレートとして、３０／（５０＊２）＝０.３と新たに算出し、前記第２部分ＣＳＩのコードレート閾値の０.４より小さい。すると、前記第２部分ＣＳＩの伝送に利用可能なリソースで、３０ビットの前記第２部分ＣＳＩを伝送する。
【００８０】
本開示の実施例におけるＣＳＩの伝送方法をより明確に記載するために、以下、２つの実例を通じて具体的に記載する。
実例１
【００８１】
ＰＵＳＣＨではデータ伝送が含まれず、非周期的ＣＳＩの伝送のみが含まれることが基地局からＤＣＩによって指示されるとする。当該非周期的ＣＳＩは、第１部分ＣＳＩと第２部分ＣＳＩに分けられる。ここで、第１部分ＣＳＩは、５０ビットを含み、第２部分ＣＳＩは、１００ビットを含む。基地局から今回のＰＵＳＣＨ伝送に１４個のＯＦＤＭシンボルと２つのＲＢリソースを割り当てる場合、ＤＭＲＳが１つ目のＯＦＤＭシンボルを占用すると、ＵＣＩ伝送に利用可能なＲＥリソースの数は、１３＊１２＊２＝３１２である。
【００８２】
まず、第１部分ＣＳＩで用いられるターゲットコードレートを取得する。
【００８３】
方式１：基地局から、直接、第１部分ＣＳＩで用いられるターゲットコードレートを０.１５に設定する。
【００８４】
方式２：基地局は、第１部分ＣＳＩで用いられるコードレートセットを｛［０.０８，０.１５，０.２５，０.３５，０.４５，０.６０，０.８０］｝に設定し、それから第１部分ＣＳＩで用いられるターゲットコードレートが０.１５であることをＤＣＩによって指示する。
【００８５】
方式３：基準では、第１部分ＣＳＩで用いられるコードレートセットを｛［０.０８，０.１５，０.２５，０.３５，０.４５，０.６０，０.８０］｝に定義し、基地局は、前記第１部分ＣＳＩで用いられるターゲットコードレートがそのうちの２つの値の０.１５であることを、ハイレイヤシグナリングによって指示する。
【００８６】
方式４：基地局は、第１部分ＣＳＩの変調階数および用いられるターゲットコードレートを、ＤＣＩのうちのＭＣＳ情報フィールドによって指示する。たとえば、基準で定義されているＭＣＳテーブルに一列のターゲットコードレートを追加して、第１部分ＣＳＩで用いられるターゲットコードレートとする。表１に示すように、テーブルのうちのＩＭＣＳ３〜２３のみによって第１部分ＣＳＩの変調階数とターゲットコードレートを指示する。
【００８７】
表１：ＰＵＳＣＨのＭＣＳ指示
【表１】
2021508971.tif 000077
【００８８】
方式５：基地局は、第１部分ＣＳＩのターゲットコードレートおよび／または変調階数を、ＤＣＩのうちのＭＣＳ指示フィールド（ほかの情報フィールド（たとえばＨＡＲＱプロセス指示情報フィールド、ＲＶ指示フィールド、ＮＤＩ指示フィールド）のうちの一つまたは複数の組み合わせの利用が除外されない）によって指示する。たとえば、基準で定義されているＭＣＳテーブルのうちのターゲットコードレートを、第１部分ＣＳＩで用いられるターゲットコードレートとして利用する。表２に示すように、テーブルのうちのＩＭＣＳ０〜２７で第１部分ＣＳＩのターゲットコードレートおよび／または変調階数を指示し、ＤＣＩのうちのＭＣＳ情報フィールド（ほかの情報フィールド（たとえばＨＡＲＱプロセス指示情報フィールド、ＲＶ指示フィールド、ＮＤＩ指示フィールド）のうちの一つまたは複数の組み合わせの利用が除外されない）によって、テーブルのうちのどのＭＣＳインデックスを利用するかを指示する。
【００８９】
表２：ＰＵＳＣＨのＭＣＳ指示
【表２】
2021508971.tif 000078
【００９０】
方式６：基地局は、ＭＣＳ情報フィールドとＮＤＩ情報フィールドおよび／またはＲＶ情報フィールドによって第１部分ＣＳＩの変調階数を取得しており、プロトコルの所定テーブルにおける前記第１部分ＣＳＩの変調階数に関連するコードレートを、ダウンリンク制御情報ＤＣＩのうちのＨＡＲＱプロセス指示情報フィールドによって指示する。ここで、上記プロトコルの所定テーブルは、３ＧＰＰプロトコル３８.２１３のテーブル６.１.４.１−１である。たとえば、表２は、３ＧＰＰプロトコル３８.２１３のテーブル６.１.４.１−１であり、第１部分ＣＳＩの変調階数が２であると、ＨＡＲＱプロセス番号指示情報フィールドの４ビットのうちの上位３ビットまたは下位３ビットの情報によって、テーブルのうちのＩＭＣＳ２〜９に対応するコードレートを指示する。ＣＳＩの変調階数が４であると、ＨＡＲＱプロセス番号指示情報フィールドの４ビットのうちの上位３ビットまたは下位３ビットの情報によって、テーブルのうちのＩＭＣＳ１０〜１６に対応するコードレートを指示する。ＣＳＩの変調階数が６であると、ＨＡＲＱプロセス番号指示情報フィールドの４ビットの情報によって、テーブルのうちのＩＭＣＳ１８〜２７に対応するコードレートを指示する。
【００９１】
本実例において、第１部分ＣＳＩには５０ビットを含み、当該第１部分ＣＳＩにはＱＰＳＫ（Ｑｕａｄｒａｔｕｒｅ  Ｐｈａｓｅ  Ｓｈｉｆｔ  Ｋｅｙｉｎｇ）変調が用いられ、かつターゲットコードレートが０.１５であると、
【数７５】
2021508971.tif 000079
であり、ＰＵＳＣＨでの１６７個のＲＥリソースが第１部分ＣＳＩの伝送に利用可能である。図２に示すように、「
2021508971.tif 000080
」部分のＲＥリソースは、ＤＭＲＳの伝送に利用可能であり、「
2021508971.tif 000081
」部分のＲＥリソースは、第１部分ＣＳＩの伝送に利用可能である。第２部分ＣＳＩの伝送に利用可能なＲＥリソースとして、
【数７６】
2021508971.tif 000082
であり、図２に示すように、「
2021508971.tif 000083
」部分のＲＥリソースは、第２部分ＣＳＩの伝送に利用可能である。
実例２
【００９２】
ＰＵＳＣＨではデータ伝送が含まれず、非周期的ＣＳＩの伝送のみが含まれることが基地局からＤＣＩによって指示されるとする。当該非周期的ＣＳＩは、第１部分ＣＳＩと第２部分ＣＳＩに分けられる。ここで、第１部分ＣＳＩは、５０ビットを含み、第２部分ＣＳＩは、１００ビットを含む。基地局から今回のＰＵＳＣＨ伝送に１４個のＯＦＤＭシンボルと１つのＲＢリソースを割り当てる場合、ＤＭＲＳが１つ目のＯＦＤＭシンボルを占用すると、ＵＣＩ伝送に利用可能なＲＥリソース数は、１３＊１２＝１５６である。
【００９３】
基準３８.２１４で定義されているＭＣＳテーブル（表１）で対応するターゲットコードレートを、第１部分ＣＳＩのターゲットコードレートとして利用するとする。ＣＳＩ伝送に対応するＭＣＳが０であることが基地局からＤＣＩで指示されると、対応する変調階数が２であり、第１部分ＣＳＩで用いられるターゲットコードレートが１２０／１０２４である。
【００９４】
本実例において、第１部分ＣＳＩには５０ビットを含み、ＱＰＳＫ変調が用いられると、
【数７７】
2021508971.tif 000084
。
【００９５】
この場合、第１部分ＣＳＩに占用されるＲＥの数が２１４であり、ＰＵＳＣＨでＵＣＩ伝送に利用可能なＲＥの数の１５６より大きいため、今回の伝送で第１部分ＣＳＩに用いられるＲＥリソースの数が、ＰＵＳＣＨでＵＣＩ伝送に利用可能なＲＥリソースの数に等しいと決定する。対応的に、今回のＰＵＳＣＨでは、第２部分ＣＳＩの伝送に利用可能なＲＥリソースが存在しない。簡単に言うと、今回のＰＵＳＣＨで第１部分ＣＳＩのみを伝送し、すべての第２部分ＣＳＩを廃棄する。
【００９６】
以上をまとめると、本発明の上記実施例において、ＰＵＳＣＨでは２つの部分のＣＳＩを伝送しかつデータの伝送がない場合、第１部分ＣＳＩのターゲットコードレートに基づいて、ＰＵＳＣＨで第１部分ＣＳＩの伝送に利用可能なリソースを決定し、ＰＵＳＣＨで残りの利用可能なリソースを、第２部分ＣＳＩの伝送に利用可能なリソースに決定することによって、５Ｇ  ＮＲシステムのＰＵＳＣＨでＣＳＩ情報が正しく伝送できるようにし、ＮＲシステムの性能を保証する。
【００９７】
図３に示すように、本開示の実施例は、メモリ３１０と、プロセッサ３００と、前記メモリ３１０に格納されて前記プロセッサ３００で実行可能なコンピュータプログラムを含む通信機器をさらに提供する。
前記プロセッサ３００は、前記プログラムを実行すると、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで第２部分ＣＳＩの伝送に利用可能なリソースに決定することとを実現する。
【００９８】
本開示の上記実施例において、前記通信機器は、前記第１部分ＣＳＩで用いられるターゲットコードレートを取得するためのトランシーバ３２０をさらに含むことが好ましい。
【００９９】
本開示の上記実施例において、前記トランシーバ３２０は、さらに、
基地局からハイレイヤシグナリングによって設定された前記第１部分ＣＳＩで用いられるターゲットコードレートを受信することに用いられ、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとに用いられ、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとに用いられることが好ましい。
【０１００】
本開示の上記実施例において、前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含むことが好ましい。
【０１０１】
本開示の上記実施例において、前記第１部分ＣＳＩで利用可能なコードレートセットをプロトコルで予め定義し、端末による前記第１部分ＣＳＩの送信をトリガーすることのできるダウンリンク制御情報を受信する場合、
前記ダウンリンク制御情報における特定指示フィールドは、ＨＡＲＱプロセス番号指示情報フィールドであり、
ＨＡＲＱプロセス番号指示情報フィールドの指示情報は、プロトコルの所定テーブルにおける前記第１部分ＣＳＩの変調階数に関連するコードレートを指示することに用いられることが好ましい。
【０１０２】
本開示の上記実施例において、前記第１部分ＣＳＩの変調階数が２である場合、前記ＨＡＲＱプロセス番号指示情報フィールドの上位３ビット情報または下位３ビット情報は、前記プロトコルの所定テーブルにおける変調階数２に関連する８個のコードレートを指示することに用いられ、
前記第１部分ＣＳＩの変調階数が４である場合、前記ＨＡＲＱプロセス番号指示情報フィールドの上位３ビット情報または下位３ビット情報は、前記プロトコルの所定テーブルにおける変調階数４に関連する７個のコードレートを指示することに用いられ、
前記第１部分ＣＳＩの変調階数が６である場合、前記ＨＡＲＱプロセス番号指示情報フィールドのすべてのビットの情報は、前記プロトコルの所定テーブルにおける変調階数６に関連する１１個のコードレートを指示することに用いられることが好ましい。
【０１０３】
本開示の上記実施例において、前記プロセッサ３００は、さらに、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なリソースエレメントＲＥの数を決定することに用いられることが好ましい。
【０１０４】
本開示の上記実施例において、前記プロセッサ３００は、さらに、
ＰＵＳＣＨで第１部分ＣＳＩの伝送に利用可能なリソースエレメントＲＥの数を第１式で決定することに用いられることが好ましい。
【数７８】
2021508971.tif 000085
（第１式）
ここで、
【数７９】
2021508971.tif 000086
：ＰＵＳＣＨで第１部分ＣＳＩの伝送に利用可能なリソースエレメントＲＥの数；
【数８０】
2021508971.tif 000087
：前記第１部分ＣＳＩの情報ビット数；
【数８１】
2021508971.tif 000088
：前記第１部分ＣＳＩで用いられるターゲットコードレート；
【数８２】
2021508971.tif 000089
：前記第１部分ＣＳＩの変調階数。
【０１０５】
本開示の上記実施例において、前記プロセッサ３００は、さらに、
ＰＵＳＣＨでＵＣＩの伝送に利用可能なリソースエレメントＲＥの数およびＰＵＳＣＨで第１部分ＣＳＩの伝送に利用可能なリソースエレメントＲＥの数に基づいて、ＰＵＳＣＨで第２部分ＣＳＩの伝送に利用可能なリソースエレメントＲＥの数を決定することに用いられることが好ましい。
【０１０６】
本開示の上記実施例において、前記プロセッサ３００は、さらに、
ＰＵＳＣＨで第２部分ＣＳＩの伝送に利用可能なリソースエレメントＲＥの数を第２式で決定することに用いられることが好ましい。
【数８３】
2021508971.tif 000090
（第２式）
ここで、
【数８４】
2021508971.tif 000091
：ＰＵＳＣＨで第２部分ＣＳＩの伝送に利用可能なリソースエレメントＲＥの数；
【数８５】
2021508971.tif 000092
：ＰＵＳＣＨでＵＣＩの伝送に利用可能なリソースエレメントＲＥの数；
【数８６】
2021508971.tif 000093
：ＰＵＳＣＨで第１部分ＣＳＩの伝送に利用可能なリソースエレメントＲＥの数；
【数８７】
2021508971.tif 000094
：ＰＵＳＣＨでＨＡＲＱ−ＡＣＫの伝送に利用可能なリソースエレメントＲＥの数。
【０１０７】
本開示の上記実施例において、前記プロセッサ３００は、さらに、
前記ＰＵＳＣＨでＵＣＩの伝送に利用可能なリソースエレメントＲＥの数
【数８８】
2021508971.tif 000095
の計算式で
【数８９】
2021508971.tif 000096
を計算することに用いられることが好ましい。
ここで、前記ＰＵＳＣＨでＵＣＩの伝送に利用可能なリソースエレメントＲＥの数
【数９０】
2021508971.tif 000097
の計算式は、
【数９１】
2021508971.tif 000098
ここで、
【数９２】
2021508971.tif 000099
：ＰＵＳＣＨでＵＣＩの伝送に利用可能なリソースエレメントＲＥの数；
【数９３】
2021508971.tif 000100
：ＯＦＤＭシンボル
【数９４】
2021508971.tif 000101
でＵＣＩの伝送に利用可能なリソースエレメントＲＥの数；
【数９５】
2021508971.tif 000102
：前記ＰＵＳＣＨに含まれるＯＦＤＭシンボルの数；
【数９６】
2021508971.tif 000103
：前記ＰＵＳＣＨでＤＲＭＳに占用されるＯＦＤＭシンボルの数；
である。
【０１０８】
本開示の上記実施例において、前記プロセッサ３００は、さらに、
前記ＰＵＳＣＨで第１部分ＣＳＩの伝送に利用可能なリソースエレメントＲＥの数が、ＰＵＳＣＨでＵＣＩの伝送に利用可能なリソースエレメントＲＥの数より大きくなると、前記ＰＵＳＣＨでＵＣＩの伝送に利用可能なリソースエレメントＲＥのすべてを第１部分ＣＳＩの伝送に利用可能なリソースエレメントＲＥに決定し、前記ＰＵＳＣＨでは第２部分ＣＳＩの伝送に利用可能なリソースエレメントＲＥがないと決定することに用いられることが好ましい。
【０１０９】
本開示の上記実施例において、前記トランシーバ３２０は、さらに、基地局から送信されるＤＣＩを受信することに用いられ、
前記プロセッサは、さらに、
前記ＤＣＩを解析し、ＰＵＳＣＨではデータ伝送が含まれず、ＣＳＩの伝送のみが含まれると決定することに用いられることが好ましい。
【０１１０】
本開示の上記実施例において、前記プロセッサ３００は、さらに、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとに用いられることが好ましい。
【０１１１】
本開示の上記実施例において、前記プロセッサ３００は、さらに、
第２部分ＣＳＩのコードレート閾値を第３式で決定することに用いられることが好ましい。
【数９７】
2021508971.tif 000104
（第３式）
ここで、
【数９８】
2021508971.tif 000105
：第２部分ＣＳＩのコードレート閾値；
【数９９】
2021508971.tif 000106
：第１部分ＣＳＩで用いられるターゲットコードレート；
【数１００】
2021508971.tif 000107
：前記第１部分ＣＳＩのコードレートオフセット；
【数１０１】
2021508971.tif 000108
：前記第２部分ＣＳＩのコードレートオフセット。
【０１１２】
本開示の上記実施例において、前記プロセッサ３００は、さらに、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとに用いられることが好ましい。
【０１１３】
以上をまとめると、本発明の上記実施例において、ＰＵＳＣＨでは２つの部分のＣＳＩを伝送しかつデータの伝送がない場合、第１部分ＣＳＩのターゲットコードレートに基づいて、ＰＵＳＣＨで第１部分ＣＳＩの伝送に利用可能なリソースを決定し、ＰＵＳＣＨで残りの利用可能なリソースを、第２部分ＣＳＩの伝送に利用可能なリソースに決定することによって、５Ｇ  ＮＲシステムのＰＵＳＣＨでＣＳＩ情報が正しく伝送できるようにし、ＮＲシステムの性能を保証する。
【０１１４】
なお、本開示の実施例における通信機器は、上記ＣＳＩの伝送方法を実行可能な通信機器であり、上記ＣＳＩの伝送方法のすべての実施例が当該通信機器に適用し、同一または類似な技術効果を奏することができる。
【０１１５】
図４に示すように、本開示の実施例は、第１部分ＣＳＩと第２部分ＣＳＩを含むＣＳＩの伝送リソースの決定装置をさらに提供する。
当該装置は、
第１部分ＣＳＩで用いられるターゲットコードレートに基づいて、ＰＵＳＣＨで第１部分ＣＳＩの伝送に利用可能なリソースを決定するための第１決定モジュール４１と、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定するための第２決定モジュール４２とを含む。
【０１１６】
本開示の上記実施例において、決定装置は、前記第１部分ＣＳＩで用いられるターゲットコードレートを取得するための取得モジュールをさらに含むことが好ましい。
【０１１７】
本開示の上記実施例において、前記取得モジュールは、
基地局からハイレイヤシグナリングによって設定された前記第１部分ＣＳＩで用いられるターゲットコードレートを受信するための第１取得サブモジュール、および／または、
基地局から予め設定された前記第１部分ＣＳＩで利用可能な、２以上のコードレートを含むコードレートセットを受信し、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定するための第２取得サブモジュール、および／または、
前記第１部分ＣＳＩで利用可能な、２以上のコードレートを含むコードレートセットをプロトコルで予め定義し、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定するための第３取得サブモジュール、および／または、
前記第１部分ＣＳＩで利用可能な、２以上のコードレートを含むコードレートセットをプロトコルで予め定義し、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定するための第４取得サブモジュールを含むことが好ましい。
【０１１８】
本開示の上記実施例において、前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含むことが好ましい。
【０１１９】
本開示の上記実施例において、前記第１決定モジュール４１は、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なリソースエレメントＲＥの数を決定するための第１決定サブモジュールを含むことが好ましい。
【０１２０】
本開示の上記実施例において、前記第１決定サブモジューは、
ＰＵＳＣＨで第１部分ＣＳＩの伝送に利用可能なリソースエレメントＲＥの数を第１式で決定するための第１決定ユニットを含むことが好ましい。
【数１０２】
2021508971.tif 000109
（第１式）
ここで、
【数１０３】
2021508971.tif 000110
：ＰＵＳＣＨで第１部分ＣＳＩの伝送に利用可能なリソースエレメントＲＥの数；
【数１０４】
2021508971.tif 000111
：前記第１部分ＣＳＩの情報ビット数；
【数１０５】
2021508971.tif 000112
：前記第１部分ＣＳＩで用いられるターゲットコードレート；
【数１０６】
2021508971.tif 000113
：前記第１部分ＣＳＩの変調階数。
【０１２１】
本開示の上記実施例において、前記第２決定モジュールは、
ＰＵＳＣＨでＵＣＩの伝送に利用可能なリソースエレメントＲＥの数およびＰＵＳＣＨで第１部分ＣＳＩの伝送に利用可能なリソースエレメントＲＥの数に基づいて、ＰＵＳＣＨで第２部分ＣＳＩの伝送に利用可能なリソースエレメントＲＥの数を決定するための第２決定サブモジュールを含むことが好ましい。
【０１２２】
本開示の上記実施例において、前記第２決定サブモジュールは、
ＰＵＳＣＨで第２部分ＣＳＩの伝送に利用可能なリソースエレメントＲＥの数を第２式で決定するための第２決定ユニットを含むことが好ましい。
【数１０７】
2021508971.tif 000114
（第２式）
ここで、
【数１０８】
2021508971.tif 000115
：ＰＵＳＣＨで第２部分ＣＳＩの伝送に利用可能なリソースエレメントＲＥの数；
【数１０９】
2021508971.tif 000116
：ＰＵＳＣＨでＵＣＩの伝送に利用可能なリソースエレメントＲＥの数；
【数１１０】
2021508971.tif 000117
：ＰＵＳＣＨで第１部分ＣＳＩの伝送に利用可能なリソースエレメントＲＥの数；
【数１１１】
2021508971.tif 000118
：ＰＵＳＣＨでＨＡＲＱ−ＡＣＫの伝送に利用可能なリソースエレメントＲＥの数。
【０１２３】
本開示の上記実施例において、前記ＰＵＳＣＨでＵＣＩの伝送に利用可能なリソースエレメントＲＥの数
【数１１２】
2021508971.tif 000119
の計算式は、
【数１１３】
2021508971.tif 000120
ここで、
【数１１４】
2021508971.tif 000121
６：ＰＵＳＣＨでＵＣＩの伝送に利用可能なリソースエレメントＲＥの数；
【数１１５】
2021508971.tif 000122
：ＯＦＤＭシンボル
【数１１６】
2021508971.tif 000123
でＵＣＩの伝送に利用可能なリソースエレメントＲＥの数；
【数１１７】
2021508971.tif 000124
：前記ＰＵＳＣＨに含まれるＯＦＤＭシンボルの数；
【数１１８】
2021508971.tif 000125
：前記ＰＵＳＣＨでＤＲＭＳに占用されるＯＦＤＭシンボルの数；
である。
【０１２４】
本開示の上記実施例において、前記決定装置は、さらに、
前記ＰＵＳＣＨで第１部分ＣＳＩの伝送に利用可能なリソースエレメントＲＥの数が、ＰＵＳＣＨでＵＣＩの伝送に利用可能なリソースエレメントＲＥの数より大きくなると、前記ＰＵＳＣＨでＵＣＩの伝送に利用可能なリソースエレメントＲＥのすべてを第１部分ＣＳＩの伝送に利用可能なリソースエレメントＲＥに決定し、前記ＰＵＳＣＨでは第２部分ＣＳＩの伝送に利用可能なリソースエレメントＲＥがないと決定するための処理モジュールを含むことが好ましい。
【０１２５】
本開示の上記実施例において、前記決定装置は、さらに、
基地局から送信されるＤＣＩを受信するための受信モジュールと、
前記ＤＣＩを解析し、ＰＵＳＣＨではデータ伝送が含まれず、ＣＳＩの伝送のみが含まれると決定するための解析モジュールとを含むことが好ましい。
【０１２６】
本開示の上記実施例において、前記決定装置は、さらに、
第２部分ＣＳＩのコードレート閾値を取得するための閾値取得モジュールと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定するためのビット決定モジュールとを含むことが好ましい。
【０１２７】
本開示の上記実施例において、前記閾値取得モジュールは、
第２部分ＣＳＩのコードレート閾値を第３式で決定するための閾値取得サブモジュールを含むことが好ましい。
【数１１９】
2021508971.tif 000126
（第３式）
ここで、
【数１２０】
2021508971.tif 000127
：第２部分ＣＳＩのコードレート閾値；
【数１２１】
2021508971.tif 000128
：第１部分ＣＳＩで用いられるターゲットコードレート；
【数１２２】
2021508971.tif 000129
：前記第１部分ＣＳＩのコードレートオフセット；
【数１２３】
2021508971.tif 000130
：前記第２部分ＣＳＩのコードレートオフセット。
【０１２８】
本開示の上記実施例において、前記ビット決定モジュールは、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定するための第１ビット決定サブモジュールと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定するための第２ビット決定サブモジュールとを含むことが好ましい。
【０１２９】
以上をまとめると、本発明の上記実施例において、ＰＵＳＣＨでは２つの部分のＣＳＩを伝送しかつデータの伝送がない場合、第１部分ＣＳＩのターゲットコードレートに基づいて、ＰＵＳＣＨで第１部分ＣＳＩの伝送に利用可能なリソースを決定し、ＰＵＳＣＨで残りの利用可能なリソースを、第２部分ＣＳＩの伝送に利用可能なリソースに決定することによって、５Ｇ  ＮＲシステムのＰＵＳＣＨでＣＳＩ情報が正しく伝送できるようにし、ＮＲシステムの性能を保証する。
【０１３０】
なお、本開示の実施例におけるＣＳＩの伝送リソースの決定装置は、上記ＣＳＩの伝送リソースの決定方法を実行可能な決定装置であり、上記ＣＳＩの伝送リソースの決定方法のすべての実施例が当該決定装置に適用し、同一または類似な技術効果を奏することができる。
【０１３１】
本開示の実施例は、コンピュータプログラムが格納されているコンピュータ読み取り可能な記憶媒体をさらに提供する。前記コンピュータプログラムがプロセッサによって実行されると、上記のＣＳＩの伝送方法の実施例の各プロセスが実現され、同一の技術効果を達成することができ、重複を避けるために、ここでは繰り返して記載しない。ここで、前記のコンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなどである。
【０１３２】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１３３】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０１３４】
以上、本発明の実施例を図面に基づいて記載したが、本発明は、上記の具体的な実施形態に限定されるものではない。上記の具体的な実施形態は、例示的なものであり、限定的なものではない。本開示のヒントを受け、当業者が本開示の趣旨および特許請求の範囲から逸脱することなくなしえる多くの形態は、すべて本開示の保護範囲に含まれる。
【０１３５】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
2021508971.tif 000177
【図２】
2021508971.tif 000178
【図３】
2021508971.tif 000179
【図４】
2021508971.tif 000180
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
第１部分ＣＳＩ（Ｃｈａｎｎｅｌ  Ｓｔａｔｅ  Ｉｎｆｏｒｍａｔｉｏｎ）と第２部分ＣＳＩを含むＣＳＩの伝送方法において、
第１部分ＣＳＩで用いられるターゲットコードレートに基づいて、ＰＵＳＣＨで第１部分ＣＳＩの伝送に利用可能なリソースを決定することと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することとを含む、ＣＳＩの伝送方法。
【請求項２】
前記の第１部分ＣＳＩで用いられるターゲットコードレートに基づいて、ＰＵＳＣＨで第１部分ＣＳＩの伝送に利用可能なリソースを決定することの前に、
前記第１部分ＣＳＩで用いられるターゲットコードレートを取得することをさらに含む、請求項１に記載の伝送方法。
【請求項３】
前記の前記第１部分ＣＳＩで用いられるターゲットコードレートを取得することは、
基地局からハイレイヤシグナリングによって設定された前記第１部分ＣＳＩで用いられるターゲットコードレートを受信することを含み、または、
基地局から予め設定された前記第１部分ＣＳＩで利用可能な、２以上のコードレートを含むコードレートセットを受信することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、端末による前記第１部分ＣＳＩの送信をトリガーすることのできるダウンリンク制御情報を受信し、前記ダウンリンク制御情報における特定指示フィールドの指示情報に基づいて、前記コードレートセットのうちの一つのコードレートを前記第１部分ＣＳＩのターゲットコードレートとして利用すると決定することとを含み、または、
前記第１部分ＣＳＩで利用可能な、２以上のコードレートを含むコードレートセットをプロトコルで予め定義することと、基地局のハイレイヤシグナリングを受信し、前記ハイレイヤシグナリングにおける指示情報に基づいて、前記コードレートセットのうちの一つのコードレートを前記第１部分ＣＳＩのターゲットコードレートとして利用すると決定することとを含む、請求項２に記載の伝送方法。
【請求項４】
前記ダウンリンク制御情報の特定指示フィールドは、ＭＣＳ情報フィールド、ＲＶ情報フィールド、ＮＤＩ情報フィールドおよびＨＡＲＱプロセス番号指示情報フィールドのうちの一つまたは複数の組み合わせを含む、請求項３に記載の伝送方法。
【請求項５】
前記の第１部分ＣＳＩで用いられるターゲットコードレートに基づいて、ＰＵＳＣＨで第１部分ＣＳＩの伝送に利用可能なリソースを決定することは、
前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥ（Ｒｅｓｏｕｒｃｅ  Ｅｌｅｍｅｎｔ）の数を決定することを含む、請求項１に記載の伝送方法。
【請求項６】
前記の前記第１部分ＣＳＩで用いられるターゲットコードレート、前記第１部分ＣＳＩの情報ビット数および前記第１部分ＣＳＩの変調階数に基づいて、ＰＵＳＣＨで第１部分ＣＳＩの伝送に利用可能なＲＥの数を決定することは、
ＰＵＳＣＨで第１部分ＣＳＩの伝送に利用可能なＲＥの数を第１式で決定することを含む、請求項５に記載の伝送方法。
【数１２４】
2021508971.tif 000181
（第１式）
ここで、
【数１２５】
2021508971.tif 000182
：ＰＵＳＣＨで第１部分ＣＳＩの伝送に利用可能なＲＥの数；
【数１２６】
2021508971.tif 000183
：前記第１部分ＣＳＩの情報ビット数；
【数１２７】
2021508971.tif 000184
：前記第１部分ＣＳＩで用いられるターゲットコードレート；
【数１２８】
2021508971.tif 000185
：前記第１部分ＣＳＩの変調階数
【請求項７】
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することは、
ＰＵＳＣＨでアップリンク制御情報ＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することを含む、請求項５または６に記載の伝送方法。
【請求項８】
前記のＰＵＳＣＨでＵＣＩの伝送に利用可能なＲＥの数およびＰＵＳＣＨで第１部分ＣＳＩの伝送に利用可能なＲＥの数に基づいて、ＰＵＳＣＨで第２部分ＣＳＩの伝送に利用可能なＲＥの数を決定することは、
ＰＵＳＣＨで第２部分ＣＳＩの伝送に利用可能なＲＥの数を第２式で決定することを含む、請求項７に記載の伝送方法。
【数１２９】
2021508971.tif 000186
（第２式）
ここで、
【数１３０】
2021508971.tif 000187
：ＰＵＳＣＨで第２部分ＣＳＩの伝送に利用可能なＲＥの数；
【数１３１】
2021508971.tif 000188
：ＰＵＳＣＨでＵＣＩの伝送に利用可能なＲＥの数；
【数１３２】
2021508971.tif 000189
：ＰＵＳＣＨで第１部分ＣＳＩの伝送に利用可能なＲＥの数；
【数１３３】
2021508971.tif 000190
：ＰＵＳＣＨでＨＡＲＱ−ＡＣＫの伝送に利用可能なＲＥの数
【請求項９】
前記ＰＵＳＣＨでＵＣＩの伝送に利用可能なＲＥの数
【数１３４】
2021508971.tif 000191
の計算式は、
【数１３５】
2021508971.tif 000192
ここで、
【数１３６】
2021508971.tif 000193
：ＰＵＳＣＨでＵＣＩの伝送に利用可能なＲＥの数；
【数１３７】
2021508971.tif 000194
：ＯＦＤＭシンボル
【数１３８】
2021508971.tif 000195
でＵＣＩの伝送に利用可能なＲＥの数；
【数１３９】
2021508971.tif 000196
：前記ＰＵＳＣＨに含まれるＯＦＤＭシンボルの数；
【数１４０】
2021508971.tif 000197
：前記ＰＵＳＣＨでＤＲＭＳに占用されるＯＦＤＭシンボルの数
である請求項７に記載の伝送方法。
【請求項１０】
前記のＰＵＳＣＨで第１部分ＣＳＩの伝送に利用可能なＲＥの数を決定することの後に、
前記ＰＵＳＣＨで第１部分ＣＳＩの伝送に利用可能なＲＥの数が、ＰＵＳＣＨでＵＣＩの伝送に利用可能なＲＥの数より大きくなると、前記ＰＵＳＣＨでＵＣＩの伝送に利用可能なＲＥのすべてを第１部分ＣＳＩの伝送に利用可能なＲＥに決定し、前記ＰＵＳＣＨでは第２部分ＣＳＩの伝送に利用可能なＲＥがないと決定することをさらに含む、請求項５に記載の伝送方法。
【請求項１１】
前記の第１部分ＣＳＩで用いられるターゲットコードレートに基づいて、ＰＵＳＣＨで第１部分ＣＳＩの伝送に利用可能なリソースを決定することの前に、
基地局から送信されるダウンリンク制御情報ＤＣＩを受信することと、
前記ＤＣＩを解析し、ＰＵＳＣＨではデータ伝送が含まれず、ＣＳＩの伝送のみが含まれると決定することとをさらに含む、請求項１に記載の伝送方法。
【請求項１２】
前記のＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定することの後に、
第２部分ＣＳＩのコードレート閾値を取得することと、
前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することとをさらに含む、請求項１に記載の伝送方法。
【請求項１３】
前記の第２部分ＣＳＩのコードレート閾値を取得することは、
第２部分ＣＳＩのコードレート閾値を第３式で決定することを含む、請求項１２に記載の伝送方法。
【数１４１】
2021508971.tif 000198
（第３式）
ここで、
【数１４２】
2021508971.tif 000199
：第２部分ＣＳＩのコードレート閾値；
【数１４３】
2021508971.tif 000200
：第１部分ＣＳＩで用いられるターゲットコードレート；
【数１４４】
2021508971.tif 000201
：前記第１部分ＣＳＩのコードレートオフセット；
【数１４５】
2021508971.tif 000202
：前記第２部分ＣＳＩのコードレートオフセット
【請求項１４】
前記の前記第２部分ＣＳＩのコードレート閾値に基づいて、前記ＰＵＳＣＨで前記第２部分ＣＳＩの伝送に利用可能なリソースで伝送可能な第２部分ＣＳＩのビット数を決定することは、
前記第２部分ＣＳＩに対応する実コードレートが前記第２部分ＣＳＩのコードレート閾値以下であると、前記第２部分ＣＳＩの伝送に利用可能なリソースで伝送可能な第２部分ＣＳＩのビット数を前記第２部分ＣＳＩの総ビット数に決定することと、
前記第２部分ＣＳＩに対応する実コードレートが前記第２部分ＣＳＩのコードレート閾値より大きくなると、残りの第２部分ＣＳＩに対応する実コードレートが前記第２部分ＣＳＩのコードレート閾値以下になるまで、所定ルールに基づいて前記第２部分ＣＳＩに対し廃棄を行い、前記第２部分ＣＳＩの伝送に利用可能なリソースで伝送可能な第２部分ＣＳＩのビット数を、残りの第２部分ＣＳＩに含まれるビット数に決定することとを含む、請求項１２に記載の伝送方法。
【請求項１５】
第１部分ＣＳＩと第２部分ＣＳＩを含むＣＳＩの伝送リソースの決定装置において、
第１部分ＣＳＩで用いられるターゲットコードレートに基づいて、ＰＵＳＣＨで第１部分ＣＳＩの伝送に利用可能なリソースを決定するための第１決定モジュールと、
ＰＵＳＣＨで前記第１部分ＣＳＩの伝送に利用可能なリソース以外の利用可能なリソースを、ＰＵＳＣＨで前記第２部分ＣＳＩの伝送に利用可能なリソースに決定するための第２決定モジュールとを含む、ＣＳＩの伝送リソースの決定装置。
【国際調査報告】
2021508971.tif 000203
2021508971.tif 000204
2021508971.tif 000205
2021508971.tif 000206